(57)【要約】【課題】  インターネット放送サーバで製作・放送する各種の放送コンテンツを放送中継サーバを介して携帯通信端末機に提供することにより、携帯通信端末機においても優れた放送コンテンツが提供され得るようにする携帯通信端末機用インターネット放送システムおよび放送方法を提供する。    【解決手段】  インターネット放送局からの放送ストリームパケットを放送中継サーバで受信してデパケット化してバッファリングしてこれを携帯通信端末機に適合するように加工して適正なデータサイズに再びパケット化する段階と、放送中継サーバは転送されてきた放送コンテンツ中から携帯通信端末機に提供されるはずの放送コンテンツに対する情報をリスト化して携帯通信端末機の付加項目として提供されるように移動通信社サーバに提供する段階と、携帯通信端末機ユーザは携帯通信端末機の付加項目として提供される放送リストを検索して視聴しようとする放送コンテンツを選択する段階と、放送提供サーバは携帯通信端末機ユーザが選択した放送の放送ストリームパケットデータを移動通信社サーバに転送する段階と、移動通信社サーバは転送されてきた放送ストリームパケットデータを携帯通信端末機に転送する段階と、携帯通信端末機で受信した放送パケットデータをバッファリングして変換して再生して視聴する段階と、を含む。
2005516558.tif 000002
【特許請求の範囲】
【請求項１】
インターネット放送システムにおいて、
インターネットで放送コンテンツを放送するインターネット放送局サーバと、
前記各インターネット放送局から放送コンテンツを転送されてバッファリングし、加工し、再びパケット化（packetizing）して移動通信社に転送する放送中継サーバと、
前記パケット化された放送コンテンツを転送されてデパケット化（de-packetizing）してバッファリングし、これをデコーディングして可視聴帯域に変換できる携帯通信端末機と、
前記放送中継サーバからパケット化された放送コンテンツを提供されて前記携帯通信端末機に送り出す移動通信社サーバと、を含むことを特徴とする携帯通信端末機用インターネット放送システム。
【請求項２】
前記放送中継サーバは、
インターネット網に接続した状態で前記インターネット放送局の接続を準備し管理するために設けられたインターネット放送局管理モジュールと、
前記インターネット放送局から放送コンテンツを受信し、前記放送コンテンツに対するリストを作成し、前記放送コンテンツをバッファリングし、前記携帯通信端末機で視聴できるように加工パケット化する放送コンテンツ管理モジュールと、
前記放送コンテンツ管理モジュールで作成した前記リストを携帯通信端末機の付加情報項目として提供されるように移動通信社サーバに提供し、前記携帯通信端末機で選択した前記放送コンテンツをリアルタイムで受信できるように前記移動通信社サーバに放送の送信を要請する中継モジュールと、
放送中継サーバに接続して放送コンテンツの転送を要請した携帯通信端末機に対する情報を端末機情報ＤＢに格納して管理し、携帯通信端末機ユーザが利用した放送コンテンツに対する情報を格納し集計する端末機管理モジュールと、
各モジュールの間のデータの流れを制御する制御モジュールと、を含むことを特徴とする請求項１記載の携帯通信端末機用インターネット放送システム。
【請求項３】
前記インターネット放送局サーバは、
オーディオファイルやビデオファイルなどのデジタル化された放送コンテンツを自体製作する放送コンテンツ製作モジュールと、
前記製作された放送コンテンツをインターネットで放送するインターネット放送モジュールと、
リアルタイムで放送コンテンツを放送ストリームパケットに変換して放送中継サーバに転送する放送コンテンツ送信モジュールと、を含むことを特徴とする請求項１記載の携帯通信端末機用インターネット放送システム。
【請求項４】
インターネット放送方法において、
インターネット放送局からの放送ストリームパケットを放送中継サーバで受信し、デパケット化してバッファリングし、これを携帯通信端末機に転送するために加工して適正なデータサイズに再びパケット化する段階と、
放送中継サーバは、転送されてきた放送コンテンツ中から携帯通信端末機に提供可能な放送コンテンツに対する情報をリスト化して携帯通信端末機の付加項目として提供されるように移動通信社サーバに提供する段階と、
携帯通信端末機ユーザは、携帯通信端末機の付加項目として提供される放送リストを検索し、視聴しようとする放送コンテンツを選択する段階と、
放送提供サーバは、携帯通信端末機ユーザが選択した放送の放送ストリームパケットデータを移動通信社サーバに転送する段階と、
移動通信社サーバは、転送されてきた放送ストリームパケットデータを携帯通信端末機に転送する段階と、
携帯通信端末機で受信した放送パケットデータをバッファリングし、変換し、再生して視聴する段階と、を含むことを特徴とする携帯通信端末機用インターネット放送方法。
【請求項５】
携帯通信端末機ユーザが利用した放送コンテンツを分析し、好んで視聴する放送コンテンツに対するアップデート情報を転送する段階を更に含むことを特徴とする請求項４記載の携帯通信端末機用インターネット放送方法。
【発明の詳細な説明】
【技術分野】
【０００１】
本発明は、携帯通信端末機用インターネット放送システムおよび放送方法に係り、より詳しくは、インターネット放送局で製作・放送する各種の放送コンテンツを放送中継サーバを介して携帯通信端末機に提供することにより、携帯通信端末機においても優れた放送コンテンツが提供され得るようにする携帯通信端末機用インターネット放送システムおよび放送方法に関する。
【背景技術】
【０００２】
携帯電話やＰＤＡなどに代表される個人用の携帯通信端末機は、現在までも単純な文字放送の受信や、簡単な形態のインターネット接続および単純音声通信のみに利用されていたが、最近は、携帯電話を利用したラジオ放送の聴取やＭＰ３音楽ファイルをダウンロードして格納し、これを再生して聞いたりするなど、様々な形態で発展しつつある。特に、携帯通信端末機は、無線通信技術の発達に伴い、株式市況の問い合わせ、位置提供サービス、モバイルゲームなどに活発に使用されているだけでなく、動映像移動通信サービスも可能となった。
【０００３】
携帯通信端末機に利用される無線送信技術のうち、ＧＳＭまたはＴＤＭＡなどと共に使用されているＣＤＭＡ２０００ＴＭ１Ｘは現在の移動通信速度（１４.４〜６４Ｋｂｐｓ）より５〜１０倍も早い速度（１４４Ｋｂｐｓ）で無線データをやり取りできるサービスであり、マルチメディア動映像転送が可能であり、既に韓国で商用化、サービスされている技術である。特に、ＣＤＭＡ２０００ＴＭ１Ｘ ＥＶ−ＤＯ（１ｘＥｖｏｌｕｔｉｏｎ−Ｄａｔａ Ｏｎｌｙ）は２００１年初、米国のルーセントテクノロジー（Lucent Technologies）社とスプリント（Sprint）社が、１秒当たり２.４メガビットのデータ転送に成功した第３世代無線データ転送技術であり、本格的なマルチメディア無線インターネットサービスが可能となり、韓国内の各移動電話会社が２００２年上半期に商用化することを目標として製品開発を推進している技術である。
【０００４】
一方、インターネット放送が活性化され、全国的に数万件に至るインターネット放送（現在は、主にＭＰ３を利用した音楽放送）がインターネットを介して送り出されているが、これらの放送コンテンツは、インターネット上に接続したインターネット放送局サーバによって自体製作されて放送され、インターネットに有無線で繋がれたコンピューターで接続して視聴するようになる。
【０００５】
しかし、このようなインターネット放送の携帯通信端末機を利用したリアルタイムのインターネット放送視聴方法は存在せず、インターネット放送を視聴するためには必ず有無線でインターネットに繋がれたＰＣやノートパンコンなどを用意しなければならないという短所があった。
【０００６】
また、インターネット放送を提供するインターネット放送局サーバおよび回線の帯域幅によって直接な影響を受けることで、限定された接続者のみ視聴可能となるように接続者数が制限されるので大量視聴が不可能となり、許容量を超えて視聴者が接続するようになれば、放送がよく短絡したり、ひどい場合はダウンしたりするなどの問題があった。
【発明の開示】
【発明が解決しようとする課題】
【０００７】
本発明は、このような従来の問題点を解決したものであって、本発明の目的は、携帯通信端末機を利用してインターネット上に放送される各種の放送コンテンツを利用できるようにする携帯通信端末機用インターネット放送システム、および放送方法を提供することにある。
【０００８】
本発明の他の目的は、インターネット放送サーバで製作・放送中の各種のインターネット放送コンテンツを放送中継サーバを介して携帯通信端末機に提供することにより、インターネット上に散在した各放送局のサーバ性能にかかわらずに多数の携帯通信端末機に放送コンテンツを同時に且つ安定的に提供できる携帯通信端末機用インターネット放送システム、および放送方法を提供することにある。
【０００９】
本発明の更に他の目的は、インターネット放送サーバから放送コンテンツを提供された携帯通信端末機から放送コンテンツ視聴料を徴収し、その一部をＭＰ３音楽ファイルなどに対する著作権料として支払うことにより、著作権法による各種の紛争を解決できる携帯通信端末機用インターネット放送システムおよび放送方法を提供することにある。
【００１０】
本発明の更に他の目的は、携帯通信端末機に利用されるＣＤＭＡ２０００ １Ｘ ＥＶ−ＤＯやＩＭＴ２０００の無線データ送信方式を利用し、通話しながら、同時に、放送コンテンツを提供され得るような携帯通信端末機用インターネット放送システム、および放送方法を提供することにある。
【００１１】
本発明の更に他の目的は、後述される本発明の詳細な説明によってより明らかになるであろう。
【課題を解決するための手段】
【００１２】
これらの本発明の目的を達成するためのインターネット放送システムは、インターネットで放送コンテンツを製作・放送するインターネット放送局サーバと、前記各インターネット放送局から放送コンテンツを転送され、バッファリングし、加工してパケット化して移動通信社に転送する放送中継サーバと、前記パケット化された放送コンテンツを転送され、デパケット化し、バッファリングし、これをデコーディングして可視聴帯域に変換することのできる携帯通信端末機、前記放送中継サーバからパケット化された放送コンテンツを提供されて前記携帯通信端末機に転送する移動通信社サーバとを含む。
【００１３】
前記放送中継サーバは、インターネット網に接続した状態で前記インターネット放送局の接続を準備して管理するために設けられたインターネット放送局管理モジュールと、前記インターネット放送局から放送コンテンツを受信し、前記放送コンテンツに対するリストを作成し、前記放送コンテンツをバッファリングし、前記携帯通信端末機で視聴できるように加工パケット化する放送コンテンツ管理モジュールと、前記放送コンテンツ管理モジュールで作成した前記リストを携帯通信端末機の付加情報項目として提供されるように移動通信社サーバに提供し、前記携帯通信端末機で選択した前記放送コンテンツをリアルタイムで受信できるように前記移動通信社サーバに転送する中継モジュールと、放送中継サーバに接続して放送コンテンツの送信を要請した携帯通信端末機に対する情報を端末機情報ＤＢに格納して管理し、携帯通信端末機ユーザが利用した放送コンテンツの種類および回数と、接続視覚、視聴時間などの情報を格納して集計する端末機管理モジュールと、各モジュールの間のデータの流れを制御する制御モジュールとを含む。
【００１４】
好ましくは、インターネット放送局サーバは、オーディオストリームファイルまたは動映像ストリームファイルなどのデジタル化された放送コンテンツを自体製作する放送コンテンツ製作モジュールと、前記製作された放送コンテンツをインターネットで放送するインターネット放送モジュールとを含むことを特徴とし、放送コンテンツをＭＰ３放送ストリームパケットに変換し放送中継サーバに転送する放送コンテンツ送信モジュールを更に含むことができる。
【００１５】
一方、インターネット放送局サーバで製作放送中の放送コンテンツを放送中継サーバを介して携帯通信端末機に提供する方法は、インターネット放送局からの放送ストリームパケットを放送中継サーバで受信し、デパケット化し、バッファリングし、これを携帯通信端末機に転送するために加工して適正なデータサイズに再びパケット化する段階と、放送中継サーバは転送されてきた放送コンテンツ中から携帯通信端末機に提供可能な放送コンテンツに対する情報をリスト化して携帯通信端末機の付加項目として提供されるように移動通信社サーバに提供する段階と、携帯通信端末機ユーザは携帯通信端末機の付加項目で提供する放送リストを検索して視聴しようとする放送コンテンツを選択する段階と、放送提供サーバは携帯通信端末機ユーザが選択した放送の放送ストリームパケットデータを移動通信社サーバに転送する段階と、移動通信社サーバは転送されてきた放送ストリームパケットデータを携帯通信端末機に転送する段階と、携帯通信端末機で受信した放送パケットデータをバッファリングし、変換し再生して視聴する段階とを含む。
【発明の効果】
【００１６】
本発明に係る携帯通信端末機用インターネット放送システムは、携帯通信端末機を利用してインターネット上で放送される各種の放送コンテンツがリアルタイムで提供され得るという長所がある。
【００１７】
また、インターネット放送サーバで製作・放送中の各種の放送コンテンツを、放送中継サーバと移動通信システムとを介して携帯通信端末機に提供することにより、各インターネット放送サーバの性能にかかわらず、多数の携帯通信端末機に放送コンテンツを同時に提供できるという長所があって、これにより、これまで大部分の非生産的な趣味活動の領域の独立インターネット放送を生産的な産業活動に転換できるという長所があり、同時に、インターネット放送の形態をとった商業的マスメディアの出現も可能となるという長所がある。
【００１８】
また、携帯通信端末機のユーザから、提供された放送コンテンツの視聴料を徴収することで、より向上した放送コンテンツの開発のために投資することができ、ＭＰ３音楽ファイルなどに係る著作権法による各種の紛争を解決することができる。
【００１９】
また、携帯通信端末機に利用されるＣＤＭＡ２０００ １Ｘ ＥＶ−ＤＯのデータ送信方式を利用することにより、通話をしながらも、放送コンテンツの提供を受けることができるという長所がある。
【００２０】
そして、放送中継サーバで携帯通信端末機ユーザの放送コンテンツの接続現況を分析し、好んで視聴する放送コンテンツに対するアップデート情報を提供することにより、携帯通信端末機の利用者は、放送コンテンツを選択する時間および費用を節約することができる。
【発明を実施するための最良の形態】
【００２１】
以下、本発明に係る携帯通信端末機用インターネット放送システム、および放送方法を添付の図面を参照して詳しく説明する。
【００２２】
図１は本発明の実施の形態に係る携帯通信端末機用インターネット放送システムの概念図であり、図２は図１の携帯通信端末機用インターネット放送システムの構成図であり、図３は本発明の実施の形態に係る携帯通信端末機用インターネット放送方法を説明するフローチャートである。
【００２３】
図１に示すように、本発明に係る携帯通信端末機用インターネット放送中継システムは、製作された放送コンテンツをインターネットで放送するインターネット放送局サーバ４００と、インターネット放送局サーバ４００で製作された放送コンテンツを転送されてバッファリングし、加工し、パケット化して移動通信社サーバ２００に転送する放送中継サーバ３００と、移動通信社サーバ２００から転送されてきた放送コンテンツをデパケット化し、バッファリングし、これをデコーディングして可視聴帯域に変換することができる携帯通信端末機１００と、放送中継サーバ３００からパケット化された放送コンテンツを提供されて携帯通信端末機に転送する移動通信社サーバ２００とで構成される。
【００２４】
一方、図２を参照して本発明の構成を詳しく説明する。インターネット放送局サーバ４００は、オーディオファイルやビデオファイルなどのデジタル化された放送コンテンツを自体製作する放送コンテンツ製作モジュール４０２と、製作された放送コンテンツをインターネットで放送するインターネット放送モジュール４０４とで構成され、好ましくは、リアルタイムで放送コンテンツを放送ストリームパケットに変換して放送中継サーバに転送する放送コンテンツ送信モジュール４０６を含む。ここで、インターネット放送局サーバで製作する放送コンテンツの一例として、Ｗｉｎａｍｐなどを用いてＭＰ３音楽ファイルをプレーしながらスクリプト(script)のコンテンツを挿入して放送する形態のオーディオストリームファイル、ウェブカメラやデジタルビデオ機器などを用いて製作した動映像ストリームファイルなどを含む。
【００２５】
携帯通信端末機１００は、後述する放送中継サーバ３００から提供される放送リストを検索して選択した後に放送を要請する機能を有し、要請した放送のパケット化された放送コンテンツを転送されてデパケット化し、バッファリングし、これをデコーディングして仮視聴帯域に変換し増幅して出力する機能を有する。例えば、ＣＤＭＡ２０００ １Ｘ ＥＶ−ＤＯ方式を支援する携帯端末機の場合、１時間の間、ＭＰ３音楽放送を聞くのに要される放送ストリームデータ受信時間の合計が数１０秒以内に短縮される。
【００２６】
移動通信社サーバ２００は、放送中継サーバ３００で作成した放送コンテンツリスト情報を携帯通信端末機の付加情報項目として提供し、携帯通信端末機ユーザが選択した放送コンテンツを転送されて携帯通信端末機１００に送り出す。この際、移動通信社システムでは放送聴取を要求する多数の加入者の携帯端末機に各種の放送コンテンツをリアルタイムで送り出す方式で放送が運営されるが、ここには、多数の加入者に多量のコンテンツを配分することのできるＣＢＳ（Cell Broadcasting Service）技術が適用されても良く、該技術は１３０万人の加入者にコンテンツを同時に送り出すことのできる技術である。
【００２７】
一方、放送中継サーバ３００は、インターネット放送局管理モジュール３０２、放送コンテンツ管理モジュール３０４、中継モジュール３０６、端末機管理モジュール３０８、および制御モジュール３１０を含む。
【００２８】
放送中継サーバ３００のインターネット放送局管理モジュール３０２は、放送コンテンツを製作してインターネットで放送するインターネット放送局サーバ４００を管理しているが、インターネット放送局サーバ４００を会員として登録を受けて各会員に固有ＩＤなどを与え、放送が視聴された回数および接続時刻、視聴された時間などの情報をインターネット放送局情報ＤＢ３１２に記録・格納して管理する。
【００２９】
放送コンテンツ管理モジュール３０４は、インターネット放送局サーバ４００からの放送コンテンツに関する基本情報を放送コンテンツ情報ＤＢ３１４に格納して管理し、携帯通信端末機ユーザが移動通信社サーバ２００から提供される付加情報項目より現在に放送されている放送コンテンツを検索できるように所定のリストに分類し、分類された情報を放送リスト情報ＤＢ３１６に格納して管理する。また、前記インターネット放送局サーバ４００から転送される放送コンテンツをバッファリングし、携帯通信端末機１００で視聴できるように加工パケット化する。この際、管理モジュール３０４はバッファリングされた放送コンテンツをメモリに格納した後、リアルタイムで携帯通信端末機に送信し、新しい放送コンテンツの転送を受けて、特定の容量を連続的に保持する。
【００３０】
中継モジュール３０６は、放送コンテンツ管理モジュール３０４で作成した放送リストが移動携帯通信端末機の付加情報項目として提供されるように移動通信社サーバに転送し、携帯通信端末機ユーザが付加情報項目から提供される放送リストを検索して選択した後、放送を要請すれば、選択した放送コンテンツを該当の携帯通信端末機１００からリアルタイムで視聴できるように移動通信社サーバ２００に転送することを管理する。
【００３１】
端末機管理モジュール３０８は、放送中継サーバに接続して放送コンテンツの送信を要請した携帯通信端末機１００に対する情報を端末機情報ＤＢ３１８に格納して管理し、携帯通信端末機ユーザが利用した放送コンテンツの種類および回数と接続時刻、視聴時間などの情報を格納・集計し、携帯通信端末機ユーザが利用した放送コンテンツを集計・分析し、好んで視聴する放送コンテンツに対するアップデート情報を格納・転送することを管理する。この際、携帯通信端末機ユーザは、放送リスト検索時に好んで視聴する放送コンテンツに対する情報を優先的に提供され得る。
【００３２】
そして、制御モジュール３１０は、各モジュールの間のデータの流れを制御する。
【００３３】
以下、本発明に係る携帯通信端末機にインターネット放送コンテンツを転送する方法を図３に示したフローチャートを参照して説明すれば次の通りである。
【００３４】
先ず、インターネット放送局サーバ４００は、オーディオ、ビデオファイルなどを含む各種の放送コンテンツを製作・放送し（ステップＳ３０２）、製作した放送コンテンツを放送中継サーバ３００に提供するために放送中継サーバに接続して会員ＩＤを入力すれば、放送中継サーバ３００の放送局管理モジュールは、登録されたインターネット放送局サーバ４００であるか否かを確認し（ステップＳ３０４）、会員として登録されていない場合は放送中継サーバを利用することができない事実と共に、別途の登録手続きを経て会員として加入させ、会員登録時に放送局情報やコンテンツ基本情報などを必須項目として入力させてインターネット放送局情報ＤＢに格納する。
【００３５】
一方、会員として確認されたインターネット放送局サーバは、放送コンテンツを放送中継サーバ３００に放送ストリームパケットとして転送する（ステップＳ３０６）。
【００３６】
放送中継サーバ３００は、インターネット放送局サーバ４００から転送されてきた放送コンテンツの放送ストリームパケットをバッファリングして加工し、携帯通信端末機１００に転送するための適正なデータサイズに再びパケット化し、移動通信社に送り出すために待機する（ステップＳ３０８）。すなわち、放送コンテンツをメモリーにバッファリングしてコンテンツを転送し（送り出し）、転送を受信し、一定の容量を保持する状態になるようにする。
【００３７】
その後、放送コンテンツ情報ＤＢ３１４に格納された放送コンテンツ中から携帯通信端末機１００に提供可能な放送コンテンツに対する情報をリスト化し、携帯通信端末機１００の付加情報項目として提供されるように移動通信社サーバ２００に提供する（ステップＳ３１０）。
【００３８】
一方、携帯通信端末機ユーザは、携帯通信端末機１００の付加情報項目として提供される放送リストから視聴しようとする放送コンテンツを検索し（ステップＳ３１２）、視聴しようとする放送を選択して放送コンテンツの転送を放送中継サーバ３００に要請する（ステップＳ３１４、Ｓ３１８）。この際、所望の放送コンテンツがない場合は、放送リストを再び検索するか、または終了する（ステップＳ３１６）。
【００３９】
放送コンテンツの送信を要請された放送中継サーバ３００は、パケット化された該当の放送コンテンツを移動通信社サーバ２００に転送する（ステップＳ３２０）。この際、放送コンテンツの転送が完了すれば端末機情報ＤＢ３１８に転送される携帯通信端末機の電話番号、接続時刻、視聴時間および聴取した放送コンテンツに対する情報を格納する。このように格納された情報により、移動通信社サーバは、携帯通信端末機ユーザに情報利用料を請求し、決栽完了された情報利用料の一部は該当の放送コンテンツを提供したインターネット放送局サーバに提供される。
【００４０】
移動通信社サーバ２００は、転送されてきた放送コンテンツを携帯通信端末機１００に転送する（ステップＳ３２２）。
【００４１】
放送コンテンツを受信した携帯通信端末機１００は、パケット化された放送コンテンツをデパケット化してバッファリングし、これをデコーディングして可視聴帯域に変換して増幅し、イヤホンやスピーカーなどに出力する（ステップＳ３２４）。
【００４２】
一方、携帯通信端末機ユーザが他の放送コンテンツを視聴しようとする場合は、ステップＳ３１２に移り、放送リストを検索する。
【００４３】
また、放送中継サーバ３００は、携帯通信端末機ユーザが利用した放送コンテンツを分析するか、または会員として登録するときに登録した好んで視聴する放送コンテンツに対するアップデート情報を携帯通信端末機に直接転送することで、携帯通信端末機の利用者は放送コンテンツを選択する時間を節約することができる。
【図面の簡単な説明】
【００４４】
【図１】本発明の実施の形態に係る携帯通信端末機用インターネット放送システムの概念図である。
【図２】図１の携帯通信端末機用インターネット放送システムの構成図である。
【図３】本発明の実施の形態に係る携帯通信端末機用インターネット放送方法を説明するフローチャート図である。
【図１】
2005516558.tif 000003
【図２】
2005516558.tif 000004
【図３】
2005516558.tif 000005
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
インターネットで放送コンテンツを放送するインターネット放送局サーバと、前記各インターネット放送局から放送コンテンツを転送されて仮視聴帯域に変換することのできる携帯通信端末機と、前記インターネット放送局サーバで放送された放送コンテンツを前記携帯通信端末機に送り出す移動通信社サーバと、を含む通常の携帯通信端末機用インターネット放送システムにおいて、
前記各インターネット放送局から放送コンテンツを転送されてバッファリングし、加工して再びパケット化した後に、移動通信社に転送する放送中継サーバを含んで構成し、前記放送中継サーバは、
インターネット網に接続した状態で前記インターネット放送局の接続を準備して管理するために設けられたインターネット放送局管理モジュールと、
前記インターネット放送局から放送コンテンツを受信し、前記放送コンテンツに対するリストを作成し、前記放送コンテンツをバッファリングし、前記携帯通信端末機で視聴できるように加工パケット化する放送コンテンツ管理モジュールと、
前記放送コンテンツ管理モジュールで作成した前記リストを携帯通信端末機の付加情報項目として提供されるように移動通信社サーバに提供し、前記携帯通信端末機で選択した前記放送コンテンツをリアルタイムで受信できるように前記移動通信社サーバに放送の送信を要請する中継モジュールと、
放送中継サーバに接続して放送コンテンツの転送を要請した携帯通信端末機に対する情報を端末機情報ＤＢに格納して管理し、携帯通信端末機ユーザが利用した放送コンテンツに対する情報を格納して集計する端末機管理モジュールと、
各モジュールの間のデータの流れを制御する制御モジュールと、を含む携帯通信端末機用インターネット放送中継システム。
【請求項２】
インターネット放送局サーバで放送される放送コンテンツを転送され、移動通信社サーバを介して携帯通信端末機で受信する通常の携帯通信端末機用インターネット放送中継方法において、
放送中継サーバでインターネット放送局から受信した放送ストリームパケットを受信し、デパケット化し、バッファリングし、これを携帯通信端末機に転送するために加工し、適正なデータサイズに再びパケット化する段階と、
前記インターネット放送局からの転送されてきた放送コンテンツ中から携帯通信端末機に提供可能な放送コンテンツに対する情報をリスト化して携帯通信端末機の付加項目として提供されるように移動通信社サーバに提供する段階と、
前記携帯通信端末機の付加項目として提供される放送リストを検索した携帯通信端末機ユーザによって視聴しようとする放送コンテンツが選択される段階と、
携帯通信端末機ユーザが選択した放送の放送ストリームパケットデータを放送提供サーバから移動通信社サーバに転送する段階と、
前記移動通信社サーバで前記転送されてきた放送ストリームパケットデータを携帯通信端末機に転送する段階と、
携帯通信端末機で受信した放送パケットデータをバッファリングし、変換し再生して視聴する段階と、を含むことを特徴とする携帯通信端末機用インターネット放送中継方法。
【手続補正２】
【補正対象書類名】明細書
【補正対象項目名】全文
【補正方法】変更
【補正の内容】
【発明の詳細な説明】
【技術分野】
【０００１】
本発明は、携帯通信端末機用インターネット放送中継システムおよび放送中継方法に係り、より詳細には、インターネット放送局で製作・放送する各種の放送コンテンツを放送中継サーバを介して携帯通信端末機に提供することにより、携帯通信端末機においても優れた放送コンテンツを提供され得るようにする携帯通信端末機用インターネット放送中継システム、および放送中継方法に関する。
【背景技術】
【０００２】
携帯電話やＰＤＡなどに代表される個人用の携帯通信端末機は、現在までも単純な文字放送の受信や、簡単な形態のインターネット接続および単純音声通信のみに利用されていたが、最近は、携帯電話を利用したラジオ放送の聴取やＭＰ３音楽ファイルをダウンロードして格納し、これを再生して聞いたりするなど、様々な形態で発展しつつある。特に、携帯通信端末機は、無線通信技術の発達に伴い、株式市況の問い合わせ、位置提供サービス、モバイルゲームなどに活発に使用されているだけでなく、動映像移動通信サービスも可能となった。
【０００３】
携帯通信端末機に利用される無線送信技術のうち、ＧＳＭまたはＴＤＭＡなどと共に使用されているＣＤＭＡ２０００TM１Ｘは現在の移動通信速度（１４.４〜６４Ｋｂｐｓ）より５〜１０倍も早い速度（１４４Ｋｂｐｓ）で無線データをやり取りできるサービスであり、マルチメディア動映像転送が可能であり、既に韓国で商用化、サービスされている技術である。特に、ＣＤＭＡ２０００TM１ＸＥＶ−ＤＯ（１ｘＥｖｏｌｕｔｉｏｎ−ＤａｔａＯｎｌｙ）は２００１年初、米国のルーセントテクノロジー（Lucent Technologies）社とスプリント（Sprint）社が、１秒当たり２.４メガビットのデータ転送に成功した第３世代無線データ転送技術であり、本格的なマルチメディア無線インターネットサービスが可能となり、韓国内の各移動電話会社が２００２年上半期に商用化することを目標として製品開発を推進している技術である。
【０００４】
一方、インターネット放送が活性化され、全国的に数万件に至るインターネット放送（現在は、主にＭＰ３を利用した音楽放送）がインターネットを介して送り出されているが、これらの放送コンテンツは、インターネット上に接続したインターネット放送局サーバによって自体製作されて放送され、インターネットに有無線で繋がれたコンピューターで接続して視聴するようになる。
【０００５】
しかし、このようなインターネット放送の携帯通信端末機を利用したリアルタイムのインターネット放送視聴方法は存在せず、インターネット放送を視聴するためには必ず有無線でインターネットに繋がれたＰＣやノートパンコンなどを用意しなければならないという短所があった。
【０００６】
また、インターネット放送を提供するインターネット放送局サーバと回線の帯域幅とによって直接的な影響を受け、限定された接続者のみ視聴可能となるように接続者数によって制限されるので大量視聴が不可能となり、許容量を超えて視聴者が接続するようになれば放送がよく短絡したり、ひどい場合はダウンするなどの問題が発生していた。
【０００７】
かかる携帯通信端末機に各種のマルチメディアサービスを提供する方法中の一つとして、下記特許文献１では、インターネットからダウンロードされるマルチメディア情報を表示部に再生する移動通信端末機と、前記移動通信端末機からのマルチメディア情報の要求に応答し、前記マルチメディア情報を備えたインターネットに繋がれた該当のウェブサーバとの接続を行い、前記ウェブサーバから受信される該当のマルチメディア情報を前記移動通信端末機に転送する移動交換機と、各種のマルチメディア情報を備え、前記移動通信端末機から要求された該当のマルチメディア情報を前記移動交換機を介して移動通信端末機に提供するウェブサーバと、でなるシステムを用いて交通情報と自家方法に係る技術を提示した。
【０００８】
しかし、このようなマルチメディアサービスの提供方法は、移動通信端末機がウェブサーバから提供された交通情報または自家方法サービスを格納している移動交換機からデータをダウンロードしたり、または移動交換機を介してウェブサーバに連結した後に格納されたデータをダウンロードするので、リアルタイムで利用することができないという問題点と共に、短絡したり、ひどい場合はダウンするなどの問題が依然として発生していた。
【０００９】
【特許文献１】韓国公開特許番号第２００１−０１０９８８６号公報
【発明の開示】
【発明が解決しようとする課題】
【００１０】
本発明は、このような従来の問題点を解決したものであって、本発明の目的は、各インターネット放送局で放送中の各種のインターネット放送コンテンツを放送中継サーバを介してＣＤＭＡ２０００１ＸＥＶ−ＤＯの無線データ転送方式を利用してストリーミング形態で携帯通信端末機に提供することにより、インターネット上に散在した各放送局のサーバの性能にかかわらず多数の携帯通信端末機に放送コンテンツを同時に安定的に提供することのできる、携帯通信端末機用インターネット放送中継システムおよび放送中継方法を提供することにある。
【００１１】
本発明の他の目的は、インターネット放送サーバから放送コンテンツを提供された携帯通信端末機から放送コンテンツ視聴料を徴収し、その一部をＭＰ３音楽ファイルなどに対する著作権料として支払うことで、著作権法による各種の紛争を解決することのできる、携帯通信端末機用インターネット放送中継システムおよび放送中継方法を提供することにある。
【００１２】
本発明の更に他の目的は、後述される本発明の詳細な説明によってより明らかになるであろう。
【課題を解決するための手段】
【００１３】
このような本発明の目的を達成するためのインターネット放送中継システムは、インターネットで放送コンテンツを放送するインターネット放送局サーバと、前記各インターネット放送局から放送コンテンツを転送されて仮視聴帯域に変換することのできる携帯通信端末機と、前記インターネット放送局サーバで放送された放送コンテンツを前記携帯通信端末機に送り出す移動通信社サーバとを含む通常の携帯通信端末機用インターネット放送システムにおいて、前記各インターネット放送局から放送コンテンツを転送されてバッファリングし、加工し、再びパケット化した後に移動通信社に転送する放送中継サーバを含んで構成し、前記放送中継サーバは、インターネット網に接続した状態で前記インターネ ット放送局の接続を準備して管理するために設けられたインターネット放送局管理モジュールと、前記インターネット放送局から放送コンテンツを受信し、前記放送コンテンツに対するリストを作成し、前記放送コンテンツをバッファリングし、前記携帯通信端末機で視聴できるように加工パケット化する放送コンテンツ管理モジュールと、前記放送コンテンツ管理モジュールで作成した前記リストを携帯通信端末機の付加情報項目として提供されるように移動通信社サーバに提供し、前記携帯通信端末機で選択した前記放送コンテンツをリアルタイムで受信できるように前記移動通信社サーバに放送の送信を要請する中継モジュールと、放送中継サーバに接続して放送コンテンツの転送を要請した携帯通信端末機に対する情報を端末機情報ＤＢに格納して管理し、携帯通信端末機ユーザが利用した放送コンテンツに対する情報を格納して集計する、端末機管理モジュールおよび各モジュールの間のデータの流れを制御する制御モジュールと、でなる。
【００１４】
一方、インターネット放送局サーバで製作・放送中の放送コンテンツを放送中継サーバを介して携帯通信端末機に提供する方法は、インターネット放送局サーバで放送される放送コンテンツを転送されて移動通信社サーバを介して携帯通信端末機で受信する通常の携帯通信端末機用インターネット放送中継方法において、放送中継サーバでインターネット放送局から受信した放送ストリームパケットを受信し、デパケット化し、バッファリングし、これを携帯通信端末機に転送するために加工し、適正なデータサイズに再びパケット化する段階と、前記インターネット放送局からの転送されてきた放送コンテンツ中から携帯通信端末機に提供可能な放送コンテンツに対する情報をリスト化し、携帯通信端末機の付加項目として提供されるように移動通信社サーバに提供する段階と、前記携帯通信端末機の付加項目として提供される放送リストを検索した携帯通信端末機ユーザによって視聴しようとする放送コンテンツが選択される段階と、携帯通信端末機ユーザが選択した放送の放送ストリームパケットデータを放送提供サーバから移動通信社サーバに転送する段階と、前記移動通信社サーバから前記転送されてきた放送ストリームパケットデータを携帯通信端末機に転送する段階と、携帯通信端末機において受信された放送パケットデータをバッファリングし、変換し再生して視聴する段階とを含む。
【発明の効果】
【００１５】
本発明に係る携帯通信端末機用インターネット放送中継システムは、携帯通信端末機を利用してインターネット上で放送される各種の放送コンテンツをリアルタイムで提供され得るという長所がある。
【００１６】
また、インターネット放送サーバで製作・放送中の各種の放送コンテンツを、放送中継サーバと移動通信システムとを介して携帯通信端末機に提供することにより、各インターネット放送サーバの性能にかかわらず、多数の携帯通信端末機に放送コンテンツを同時に提供できるという長所があって、これにより、これまで大部分の非生産的な趣味活動の領域の独立インターネット放送を生産的な産業活動に転換できるという長所があり、同時に、インターネット放送の形態をとった商業的マスメディアの出現も可能となるという長所がある。
【００１７】
また、携帯通信端末機のユーザから、提供された放送コンテンツの視聴料を徴収することで、より向上した放送コンテンツの開発のために投資することができ、ＭＰ３音楽ファイルなどに係る著作権法による各種の紛争を解決することができる。
【発明を実施するための最良の形態】
【００１８】
以下、本発明に係る携帯通信端末機用インターネット放送中継システムおよび放送中継方法を、添付の図面を参照して詳しく説明する。
【００１９】
図１は本発明の実施の形態に係る携帯通信端末機用インターネット放送中継システムの概念図であり、図２は図１の携帯通信端末機用インターネット放送中継システムの構成図であり、図３は本発明の実施の形態に係る携帯通信端末機用インターネット放送中継方法を説明するフローチャートである。
【００２０】
図１に示すように、本発明に係る携帯通信端末機用インターネット放送中継システムは、製作された放送コンテンツをインターネットで放送するインターネット放送局サーバ４００と、インターネット放送局サーバ４００で製作された放送コンテンツを転送されてバッファリングし、加工し、パケット化して移動通信社サーバ２００に転送する放送中継サーバ３００と、移動通信社サーバ２００から転送されてきた放送コンテンツをデパケット化し、バッファリングし、これをデコーディングして仮視聴帯域に変換することができる携帯通信端末機１００と、放送中継サーバ３００からパケット化された放送コンテンツを提供されて携帯通信端末機に転送する移動通信社サーバ２００とで構成される。
【００２１】
一方、図２を参照して本発明の構成を詳しく説明する。インターネット放送局サーバ４００は、オーディオファイルやビデオファイルなどのデジタル化された放送コンテンツを自体製作する放送コンテンツ製作モジュール４０２と、製作された放送コンテンツをインターネットで放送するインターネット放送モジュール４０４とで構成され、好ましくは、リアルタイムで放送コンテンツを放送ストリームパケットに変換して放送中継サーバに転送する放送コンテンツ送信モジュール４０６を含む。ここで、インターネット放送局サーバで製作する放送コンテンツの一例として、Ｗｉｎａｍｐなどを用いてＭＰ３音楽ファイルをプレーしながらメントを挿入して放送する形態のオーディオストリームファイル、ウェブカメラやデジタルビデオ機器などを用いて製作した動映像ストリームファイルなどを含む。
【００２２】
携帯通信端末機１００は、後述する放送中継サーバ３００から提供される放送リストを検索して選択した後に放送を要請する機能を有し、要請した放送のパケット化された放送コンテンツを転送されてデパケット化し、バッファリングし、これをデコーディングして仮視聴帯域に変換し増幅して出力する機能を有する。例えば、ＣＤＭＡ２０００１ＸＥＶ−ＤＯ方式を支援する携帯端末機の場合、１時間の間、ＭＰ３音楽放送を聞くのに要される放送ストリームデータ受信時間の合計が数１０秒以内に短縮される。
【００２３】
移動通信社サーバ２００は、放送中継サーバ３００で作成した放送コンテンツリスト情報を携帯通信端末機の付加情報項目として提供し、携帯通信端末機ユーザが選択した放送コンテンツを転送されて携帯通信端末機１００に送り出す。この際、移動通信社システムでは放送ほ聴取を要求する多数の加入者の携帯端末機に各種の放送コンテンツをリアルタイムで送り出す方式で放送が運営されるが、ここには、多数の加入者に対して多量のコンテンツを振り撤いて上げることのできるＣＢＳ（Cell Broadcasting Service）技術を適用しても良く、該技術は、１３０万人の加入者に対し、コンテンツを同時に送り出すことのできる技術である。
【００２４】
一方、放送中継サーバ３００は、インターネット放送局管理モジュール３０２、放送コンテンツ管理モジュール３０４、中継モジュール３０６、端末機管理モジュール３０８、および制御モジュール３１０を含む。
【００２５】
放送中継サーバ３００のインターネット放送局管理モジュール３０２は、放送コンテンツを製作してインターネットで放送するインターネット放送局サーバ４００を管理しているが、インターネット放送局サーバ４００を会員として登録を受けて各会員に固有ＩＤなどを与え、放送が視聴された回数および接続時刻、視聴された時間などの情報をインターネット放送局情報ＤＢ３１２に記録・格納して管理する。
【００２６】
放送コンテンツ管理モジュール３０４は、インターネット放送局サーバ４００からの放送コンテンツに関する基本情報を放送コンテンツ情報ＤＢ３１４に格納して管理し、携帯通信端末機ユーザが移動通信社サーバ２００から提供される付加情報項目より現在に放送されている放送コンテンツを検索できるように所定のリストに分類し、分類された情報を放送リスト情報ＤＢ３１６に格納して管理する。また、前記インターネット放送局サーバ４００から転送される放送コンテンツをバッファリングし、携帯通信端末機１００で視聴できるように加工パケット化する。この際、バッファリングされた放送コンテンツはメモリに格納された後、リアルタイムで携帯通信端末機に送信され、新しい放送コンテンツを転送されて一定の用量を保持する。
【００２７】
中継モジュール３０６は、放送コンテンツ管理モジュール３０４で作成した放送リストが移動携帯通信端末機の付加情報項目として提供されるように移動通信社サーバに転送し、携帯通信端末機ユーザが付加情報項目から提供される放送リストを検索して選択した後、放送を要請すれば、選択した放送コンテンツを該当の携帯通信端末機１００からリアルタイムで視聴できるように移動通信社サーバ２００に転送することを管理する。
【００２８】
端末機管理モジュール３０８は、放送中継サーバに接続して放送コンテンツの送信を要請した携帯通信端末機１００に対する情報を端末機情報ＤＢ３１８に格納して管理し、携帯通信端末機ユーザが利用した放送コンテンツの種類および回数と接続時刻、視聴時間などの情報を格納・集計し、携帯通信端末機ユーザが利用した放送コンテンツを集計・分析し、好んで視聴する放送コンテンツに対するアップデート情報を格納・転送することを管理する。この際、携帯通信端末機ユーザは、放送リスト検索時に好んで視聴する放送コンテンツに対する情報を優先的に提供され得る。
【００２９】
そして、制御モジュール３１０は、各モジュールの間のデータの流れを制御する。
【００３０】
以下、図３に示したフローチャートを参照して本発明に係る携帯通信端末機にインターネット放送コンテンツを中継する方法を説明すれば、次の通りである。
【００３１】
先ず、インターネット放送局サーバ４００は、オーディオ、ビデオファイルなどを含む各種の放送コンテンツを製作・放送し（ステップＳ３０２）、製作した放送コンテンツを放送中継サーバ３００に提供するために放送中継サーバに接続して会員ＩＤを入力すれば、放送中継サーバ３００の放送局管理モジュールは、登録されたインターネット放送局サーバ４００であるか否かを確認し（ステップＳ３０４）、会員として登録されていない場合は放送中継サーバを利用することができない事実と共に、別途の登録手続きを経て会員として加入させ、会員登録時に放送局情報やコンテンツ基本情報などを必須項目として入力させてインターネット放送局情報ＤＢに格納する。
【００３２】
一方、会員として確認されたインターネット放送局サーバは、放送コンテンツを放送中継サーバ３００に放送ストリームパケットとして転送する（ステップＳ３０６）。
【００３３】
放送中継サーバ３００は、インターネット放送局サーバ４００から転送されてきた放送コンテンツの放送ストリームパケットをバッファリングして加工し、携帯通信端末機１００に転送するための適正なデータサイズに再びパケット化し、移動通信社に送り出すために待機する（ステップＳ３０８）。すなわち、放送コンテンツをメモリーにバッファリングしてコンテンツを転送し（送り出し）、転送を受信し、一定の用量を保持する状態になるようにする。
【００３４】
その後、放送コンテンツ情報ＤＢ３１４に格納された放送コンテンツ中から携帯通信端末機１００に提供可能な放送コンテンツに対する情報をリスト化し、携帯通信端末機１００の付加情報項目として提供されるように移動通信社サーバ２００に提供する（ステップＳ３１０）。
【００３５】
一方、携帯通信端末機ユーザは、携帯通信端末機１００の付加情報項目として提供される放送リストから視聴しようとする放送コンテンツを検索し（ステップＳ３１２）、視聴しようとする放送を選択して放送コンテンツの転送を放送中継サーバ３００に要請する（ステップＳ３１４、Ｓ３１８）。この際、所望の放送コンテンツがない場合は、放送リストを再び検索するか、または終了する（ステップＳ３１６）。
【００３６】
放送コンテンツの送信を要請された放送中継サーバ３００は、パケット化された該当の放送コンテンツを移動通信社サーバ２００に転送する（ステップＳ３２０）。この際、放送コンテンツの転送が完了すれば端末機情報ＤＢ３１８に転送される携帯通信端末機の電話番号、接続時刻、視聴時間および聴取した放送コンテンツに対する情報を格納する。このように格納された情報により、移動通信社サーバは、携帯通信端末機ユーザに情報利用料を請求し、決栽完了された情報利用料の一部は該当の放送コンテンツを提供したインターネット放送局サーバに提供される。
【００３７】
移動通信社サーバ２００は、転送されてきた放送コンテンツを携帯通信端末機１００に転送する（ステップＳ３２２）。
【００３８】
放送コンテンツを受信した携帯通信端末機１００は、パケット化された放送コンテンツをデパケット化してバッファリングし、これをデコーディングして仮視聴帯域に変換して増幅し、イヤホンやスピーカーなどに出力する（ステップＳ３２４）。
【００３９】
一方、携帯通信端末機ユーザが他の放送コンテンツを視聴しようとする場合は、ステップＳ３１２に移り、放送リストを検索する。
【００４０】
また、放送中継サーバ３００は、携帯通信端末機ユーザが利用した放送コンテンツを分析するか、または会員として登録するときに登録した好んで視聴する放送コンテンツに対するアップデート情報を携帯通信端末機に直接転送することで、携帯通信端末機の利用者は放送コンテンツを選択する時間を節約することができる。
【図面の簡単な説明】
【００４１】
【図１】本発明の実施の形態に係る携帯通信端末機用インターネット放送中継システムの概念図である。
【図２】図１の携帯通信端末機用インターネット放送中継システムの構成図である。
【図３】本発明の実施の形態に係る携帯通信端末機用インターネット放送中継方法を説明するフローチャートである。
【手続補正３】
【補正対象書類名】図面
【補正対象項目名】図３
【補正方法】変更
【補正の内容】
【図３】
2005516558.tif 000006
【国際調査報告】
2005516558.tif 000007